【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
ベース部と、前記ベース部に設けられる、切断具を有する第１作業アーム及び掴み具を有する第２作業アームと、下端部が前記ベース部に取り付けられて前記ベース部の上方に配置され、上端部に固定部材が取り付けられた円筒状の伸縮シール部材とを備えたことを特徴とする燃料デブリ取り出し装置。
【請求項２】
前記ベース部よりも下方で側壁に開口部が形成されて内部に配置される収納容器を保持する収納容器保持部材が、前記ベース部に取り付けられて前記ベース部よりも下方に向かって伸びている請求項１に記載の燃料デブリ取り出し装置。
【請求項３】
前記収納容器保持部材の上方を覆う搬出容器が前記ベース部の上方に配置され、前記搬出容器が前記ベース部に取り外し可能に取り付けられる請求項２に記載の燃料デブリ取り出し装置。
【請求項４】
前記搬出容器内に、前記収納容器を上下方向に移動させる収納容器移動装置が取り付けられている請求項３に記載の燃料デブリ取り出し装置。
【請求項５】
前記収納容器保持部材内に形成される前記収納容器が通る通路を開閉するシャッター部材が、水平方向に移動可能に前記ベース部に取り付けられている請求項２に記載の燃料デブリ取り出し装置。
【請求項６】
前記ベース部に旋回可能に取り付けられた旋回テーブルを有し、前記第１作業アーム及び前記第２作業アームが前記旋回テーブルに取り付けられ、前記収納容器保持部材が、前記旋回テーブルに取り付けられて前記旋回テーブルの下方に向かって伸びている請求項２に記載の燃料デブリ取り出し装置。
【請求項７】
前記収納容器保持部材の上方を覆う搬出容器が前記旋回テーブルの上方に配置され、前記搬出容器が前記旋回テーブルに取り外し可能に取り付けられる請求項６に記載の燃料デブリ取り出し装置。
【請求項８】
前記ベース部を貫通して前記ベース部に取り付けられて内部に貫通孔がそれぞれ形成された第１円筒部及び第２円筒部と、前記第１作業アームが前記第１円筒部の前記貫通孔に挿入されたときに開いて前記第１作業アームが前記第１円筒部の前記貫通孔から引き抜かれたときに閉じる回転可能な複数の封鎖板を有し、前記第１円筒部の下端面に設けられた第１封鎖装置と、前記第２作業アームが前記第２円筒部の前記貫通孔に挿入されたときに開いて前記第２作業アームが前記第２円筒部の前記貫通孔から引き抜かれたときに閉じる回転可能な複数の封鎖板を有し、前記第２円筒部の下端面に設けられた第２封鎖装置と有する請求項１に記載の燃料デブリ取り出し装置。
【請求項９】
ベース部と、前記ベース部に設けられる、切断具を有する第１作業アーム及び掴み具を有する第２作業アームと、前記ベース部に取り付けられて上方に伸びる円筒部材と、下端部が前記ベース部に取り付けられて前記ベース部の上方に配置される金属製の円筒シール部材と、前記円筒シール部材の上端に連結されて上方に伸びる金属製の他の円筒シール部材と、下方に位置する前記円筒シール部材に設けられたリング部材を保持する保持部材を有し、この円筒シール部材を取り囲んで配置されて原子炉圧力容器の上端に取り付けられるリング状の固定部材に取り付けられた複数の第１シール昇降装置と、上方に位置する他の前記円筒シール部材に設けられたリング部材を保持する保持部材を有し、この円筒シール部材を取り囲んで配置されてリング状の前記固定部材に取り付けられた複数の第２シール昇降装置とを備えたことを特徴とする燃料デブリ取り出し装置。
【請求項１０】
前記第１シール昇降装置を所定の角度範囲で回転させる第１昇降装置旋回機構が、前記第１シール昇降装置ごとに前記固定部材に取り付けられ、前記第２シール昇降装置を所定の角度範囲で回転させる第２昇降装置旋回機構が、前記第２シール昇降装置ごとに前記固定部材に取り付けられる請求項９に記載の燃料デブリ取り出し装置。
【請求項１１】
請求項１に記載の燃料デブリ取り出し装置を用いて原子炉圧力容器内から燃料デブリを取り出す燃料デブリの取り出し方法であって、
前記固定部材を前記原子炉圧力容器の上端部のフランジ面にシールをした状態で前記固定部材を取り付け、
前記ベース部を下降させて前記原子炉圧力容器内に配置し、
前記原子炉圧力容器内に存在する前記燃料デブリを前記第１作業アームの前記切断具を用いて切断することを特徴とする燃料デブリの取り出し方法。
【請求項１２】
前記ベース部よりも下方で側壁に開口部が形成されて内部に配置される収納容器を保持する収納容器保持部材が、前記ベース部に取り付けられて前記ベース部よりも下方に向かって伸びており、
前記切断具で切断した前記燃料デブリの切断片を、前記第２作業アームの前記掴み具で掴んで前記収納容器保持部材内の前記収納容器内に収納する請求項１１に記載の燃料デブリの取り出し方法。
【請求項１３】
前記収納容器保持部材の上方を覆う搬出容器が前記ベース部の上方に配置され、前記搬出容器が前記ベース部に取り外し可能に取り付けられており、
前記切断片が収納された前記収納容器を前記収納容器保持部材内から前記搬出容器内に移送し、前記収納容器を収納した前記搬出容器を前記原子炉圧力容器から取り出す請求項１２に記載の燃料デブリの取り出し方法。
【請求項１４】
前記収納容器保持部材内から前記搬出容器内への前記収納容器の移送は、前記搬出容器内に設けられた収納容器移送装置を用いて行われ、前記搬出容器の前記原子炉圧力容器からの取り出しは、前記収納容器が前記収納容器移送装置に保持された状態で行われる請求項１３に記載の燃料デブリの取り出し方法。
【請求項１５】
前記収納容器が前記収納容器保持部材内から前記搬出容器内に移送された後、前記収納容器保持部材内の前記搬出容器につながっている通路が、シャッター部材で封鎖される請求項１３に記載の燃料デブリの取り出し方法。
【請求項１６】
請求項９に記載の燃料デブリ取り出し装置を用いて原子炉圧力容器内から燃料デブリを取り出す燃料デブリの取り出し方法であって、
前記固定部材を前記原子炉圧力容器の上端部のフランジ面にシールをした状態で前記固定部材を取り付け、
上方に位置する前記円筒シール部材の上端に複数の円筒シール部材を順次連結して前記ベース部を前記原子炉圧力容器内で下降させて前記ベース部を前記原子炉圧力容器内に配置し、
前記原子炉圧力容器内に存在する前記燃料デブリを前記第１作業アームの前記切断具を用いて切断することを特徴とする燃料デブリの取り出し方法。
【請求項１７】
前記第１シール昇降装置を所定の角度範囲で回転させる第１昇降装置旋回機構が、前記第１シール昇降装置ごとに前記固定部材に取り付けられ、前記第２シール昇降装置を所定の角度範囲で回転させる第２昇降装置旋回機構が、前記第２シール昇降装置ごとに前記固定部材に取り付けられており、
最も上方に位置している前記円筒シール部材である第１円筒シール部材の前記リング部材を前記複数の第１シール昇降装置の各前記保持部材で保持した状態で、前記第１円筒シール部材の上に他の前記円筒シール部材である第２円筒シール部材を載せて前記第１円筒シール部材及び前記第２円筒シール部材を連結し、
前記第１シール昇降装置により前記第１円筒シール部材を連結された前記第２円筒シール部材と共に下降させ、
前記第２円筒シール部材の前記リング部材を前記複数の第２シール昇降装置の各前記保持部材で保持し、
その後、それぞれの前記第１昇降装置旋回機構を駆動して前記複数の第１シール昇降装置のそれぞれを回転させて、前記複数の第１シール昇降装置のそれぞれの前記保持部材による、前記第１円筒シール部材の前記リング部材を保持を解除する請求項１６に記載の燃料デブリの取り出し方法。